(57)【要約】【課題】コンピューターシステムに応用される無線カーソル制御装置を提供する。【解決手段】無線信号を発生させる本体、無線信号を受信し、コネクタ式に電気的にコンピューターシステムに接続する無線信号受信器、本体上に設置され、無線信号受信器が置かれるための収納空間、収納空間の側壁に固定されており、無線信号受信器が収納空間に置かれることで生じる変形の元に戻る力によって、無線信号受信器に当接して固定する弾性パッドを含む。【選択図】図２ａ
2007188470.tif 000002
【特許請求の範囲】
【請求項１】
コンピューターシステムに応用される無線カーソル制御装置であって、
無線信号を発する本体と、
前記無線信号を受信し、コネクタで前記コンピューターシステムに電気的に接続される無線信号受信器と、
前記本体上に設置され、前記無線信号受信器を置くため収納空間と、
前記収納空間の側壁に固定され、前記無線信号受信機が前記収納空間に置かれる時、その変形による回復力で前記無線信号受信器に当接し固定する弾性パッドを含むことを特徴とする無線カーソル制御装置。
【請求項２】
前記本体がワイヤレスマウス本体であり、応用されるコンピューターシステムはパソコン或いはノートパソコンであることを特徴とする請求項1に記載の無線カーソル制御装置。
【請求項３】
前記無線信号受信器がユニバーサルシリアルバスのプラグによりコネクタ式で前記コンピューターシステムに電気的に接続されることを特徴とする請求項1に記載の無線カーソル制御装置。
【請求項４】
前記収納空間の両側には第一凹溝と第二凹溝を有し、前記弾性パッドにより固定することができることを特徴とする請求項１に記載の無線カーソル制御装置。
【請求項５】
前記弾性パッドがさらに第一弾性半シリンダーと第二弾性半シリンダーを含み、前記無線信号受信機が前記収納空間に置かれた時、第一弾性半シリンダーと第二弾性半シリンダーは前記無線信号受信器に当接して固定されることを特徴とする請求項4に記載の無線カーソル制御装置。
【請求項６】
第一弾性半シリンダーと第二弾性半シリンダーが、第一断面と第二断面により、収納空間が有する第一凹溝と第二凹溝に当接して固定されることを特徴とする請求項5に記載の無線カーソル制御装置。
【請求項７】
前記無線信号受信器上には第一固定切欠と第二固定切欠を有し、前記弾性パッドが有する前記第一弾性半シリンダーと第二弾性半シリンダーに当接し固定することを特徴とする請求項5に記載の無線カーソル制御装置。
【請求項８】
前記収納空間にはさらに第三凹溝を含み、前記無線信号受信機が前記収納空間に置かれる時、前記第三凹溝は無線信号受信機が有する前記ユニバーサルシリアルバスのプラグに挿入され、無線信号受信機を固定することを特徴とする請求項4に記載の無線カーソル制御装置。
【請求項９】
さらに電源のスイッチングを含み、前記収納空間が有する前記第三凹溝に接続し、同時に前記無線信号受信機が前記収納空間に置かれる時、前記無線信号受信機が有する前記ユニバーサルシリアルバスのプラグは前記電源のスイッチングに接触し、前記無線カーソル制御装置の電源をオフにすることを特徴とする請求項8に記載の無線カーソル制御装置。
【請求項１０】
前記弾性パッドが前記収納空間に固定された後、プッシュ方法により前記無線信号受信機を前記収納空間に置くことが可能で、前記弾性パッドが前記第一弾性半シリンダーと第二弾性半シリンダーにより前記無線信号受信機に当接して固定されることを特徴とする請求項1に記載の無線カーソル制御装置。
【請求項１１】
前記収納空間の長さが前記無線信号受信機の長さによりも大きく、傾斜面を有し、前記傾斜面は前記無線信号受信機が前記収納空間に置かれる時、スライド方式により前記無線信号受信機を前記収納空間に置くことが可能で、前記弾性パッドは前記第一弾性半シリンダーと第二弾性半シリンダーにより前記無線信号受信機に当接して固定されることを特徴とする請求項1に記載の無線カーソル制御装置。
【発明の詳細な説明】
【技術分野】
【０００１】
無線カーソル制御装置であり、特にコンピューターシステムに応用される。
【背景技術】
【０００２】
現在の市場におけるコンピューター関係の付属部品（アクセサリー）を見てみると、キーボード、マウス、インターネット用カメラ、イントラネットなど、もともと「有線」が主とする製品は、徐々に「無線」の製品に取って代わられつつある。これらの無線のアクセサリーは、ユーザーの使用操作上の利便性を高めるばかりではなく、同時に、コンピューターにいくつもの有線のアクセサリーをつないだときのからまりなどの収納上の問題を解決することができる。このように、無線電子製品の開発は、ユーザーにかなりの利点と利便をもたらし、また有線電子製品の欠点を確実に改善する。そこで、現在各メーカーは電子製品の研究開発において、無線化の方向に力を入れている。
【０００３】
また、各メーカーは、多くの無線電子製品の内、コンピューターに必要な入力ツールであるマウスとキーボードに重点を置いて開発している。無線のマウス（ワイヤレスマウス）を例に挙げると、ワイヤレスマウスの最大の特徴は、もともとあるべき信号を伝送する信号ケーブル線がない代わりに、ワイヤレスマウスが発する無線信号を受信する信号受信器が更に必要なことである。通常、この信号受信器はユニバーサルシリアルバス（以下ＵＳＢとする）の形式でコンピューター本体のＵＳＢとつなげて、前記信号受信器を通して、ワイヤレスマウスがコンピューター本体でスムーズに操作できるようにする。このように、信号ケーブル線が一本少ない状態は、ユーザーにとって使用上大変便利といえる。だが、このワイヤレスマウスを使用するには、前記信号受信器が必要なため、ユーザーは携帯に不便といえ、携帯の際にうっかり信号受信器をなくしてしまったり、ワイヤレスマウスだけを携帯して信号受信器を忘れてしまったりといったことがよく起こる。このように、ワイヤレスマウスは操作上問題がないとはいえない。
【０００４】
これらの問題に鑑みて、現在各メーカーはワイヤレスマウスの形態上の利便性を改善しており、たとえば、台湾特許番号Ｍ２７０４３２のワイヤレスマウス受信器の収納構造といったものが既にある。図１が示すのは、既存のワイヤレスマウスの収納構造の概略図であり、前記ワイヤレスマウス１は底部に前記信号受信器２に対応する収納溝１１があり、信号受信器２を収納し、その内の信号受信器２の構造上、柄部２１が設置されており、ワイヤレスマウス１が置かれるのに対応して、前記柄部２１に対して凹部１２が設計されており、ユーザーが前記柄部２１を利用する際、前記信号受信器２を取り出しやすくなることが図から分かる。しかしながら、これらのワイヤレスマウスの受信器の収納構造はそのワイヤレスマウス１は底部に設置された前記収納溝１１と前記信号受信器２の間の相互関係を利用しており、すなわち前記信号受信器２の大きさと前記ワイヤレスマウス１は底部に設置された前記収納溝１１はぴったり一致しており、そこでこの信号受信器２が前記収納溝１１に置かれた際、前記信号受信器２と前記収納溝１１同士の摩擦抵抗力により、前記信号受信器２は前記ワイヤレスマウス１の底部に設置された前記収納溝１１内にぴったりと密着させることで、その信号受信器２が前記ワイヤレスマウス１の中に収納される。ただ、この構造設計上、ユーザーが長時間にわたって何度も出し入れを行うと、この信号受信器２とワイヤレスマウス１の底部の収納溝１１間の摩擦力は大幅に低下し、最後には信号受信器２はワイヤレスマウス１底部の収納溝１１にぴったりと密着することができなくなり、信号受信器２は緩んで取れやすくなる。そうすると、ワイヤレスマウス１と信号受信器２の収納、携帯上の利便性は失われる。そこで、上述の装置の構造上の欠点をどのように改善するのかが、本発明の主な目的である。
【発明の開示】
【発明が解決しようとする課題】
【０００５】
本発明は、無線カーソル制御装置がコンピューターシステムに応用されるものであって、無線信号を発する本体と、前記無線信号を受信し、コネクタで前記コンピューターシステムに電気的に接続される無線信号受信器と、前記本体上に設置され、前記無線信号受信器を置くため収納空間と、前記収納空間の側壁に固定され、前記無線信号受信機が前記収納空間に置かれる時、その変形による回復力で前記無線信号受信器に当接して固定する弾性パッドを含む。
【０００６】
上記の構想によれば、前記本体がワイヤレスマウス本体であり、応用されるコンピューターシステムはパソコン或いはノートパソコンである。
【０００７】
上記の構想によれば、前記無線信号受信器がユニバーサルシリアルバスのプラグによりコネクタ式で前記コンピューターシステムに電気的に接続される。
【０００８】
上記の構想によれば、前記収納空間が第一凹溝と前記第二凹溝を含み、弾性凸溝と固定できる。
【０００９】
上記の構想によれば、前記弾性凸溝が第一弾性半シリンダーと第二弾性半シリンダーを含み、前記無線信号受信器が前記収納空間に置かれる際、第一弾性半シリンダーと第二弾性半シリンダーは前記無線信号受信器と当接して固定する。
【００１０】
上記の構想によれば、第一弾性半シリンダーと第二弾性半シリンダーが、第一断面と第二断面により、収納空間が有する第一凹溝と第二凹溝に当接して固定される。
【００１１】
上記の構想によれば、前記無線信号受信器上には第一固定切欠と第二固定切欠を有し、前記弾性パッドが有する前記第一弾性半シリンダーと第二弾性半シリンダーに当接し固定する。
【００１２】
上記の構想によれば、前記収納空間にはさらに第三凹溝を含み、前記無線信号受信機が前記収納空間に置かれる時、前記第三凹溝は無線信号受信機が有する前記ユニバーサルシリアルバスのプラグに挿入され、無線信号受信機を固定する。
【００１３】
上記の構想によれば、前記無線カーソル制御装置はさらに電源のスイッチングを含み、前記収納空間が有する前記第三凹溝に接続し、同時に前記無線信号受信機が前記収納空間に置かれる時、前記無線信号受信機が有する前記ユニバーサルシリアルバスのプラグは前記電源のスイッチングに接触し、前記無線カーソル制御装置の電源をオフにする。
【００１４】
上記の構想によれば、前記弾性パッドが前記収納空間に固定された後、プッシュ方法により前記無線信号受信機を前記収納空間に置くことが可能で、前記弾性パッドが前記第一弾性半シリンダーと第二弾性半シリンダーにより前記無線信号受信機に当接して固定される。
【００１５】
上記の構想によれば、前記収納空間の長さが前記無線信号受信機の長さによりも大きく、傾斜面を有し、前記傾斜面は前記無線信号受信機が前記収納空間に置かれる時、スライド方式により前記無線信号受信機を前記収納空間に置くことが可能で、前記弾性パッドは前記第一弾性半シリンダーと第二弾性半シリンダーにより前記無線信号受信機に当接して固定される。
【発明を実施するための最良の形態】
【００１６】
本発明を次に図面により詳細に説明する。
【実施例】
【００１７】
図２ａに、従来の装置の欠点を改善した無線カーソル制御装置の第一の好ましい実施例を示す。本発明が提案している前記無線カーソル制御装置とは、現在すでに普及している個人用パソコン或いはノートパソコンのコンピューターシステムで応用されているワイヤレスマウス３である。図から分かるように、前記ワイヤレスマウス３が主に本体３０、無線信号受信器３１、収納空間３２と弾性パッド３３を含み、前記本体３０はユーザーの操作により無線信号を発し、カーソルのシフトを制御する。前記無線信号受信器３１は前記本体３０が発する前記無線信号を受信でき、ユニバーサルシリアルバス（ＵＳＢ）のプラグ３１０によりコネクタ式で前記コンピューターシステムの接続ポート（本図には示していない）に接続される。本発明が提案している前記ワイヤレスマウス３の最も重要な特徴は、前記ワイヤレスマウス３の本体３０上に設置されている収納空間３２と弾性パッド３３を前記収納空間３２の側壁に固定し、前記無線信号受信器３１を前記収納空間３２に置いたとき、前記収納空間３２を前記無線信号受信器３１に収納し、固定することである。以下に本発明の特徴についてさらに詳しく説明する。
【００１８】
図２ｂに、前記弾性パッド３３と前記本体３０に設置された前記収納空間３２の結合と、弾性パッド３３の外観構造の概念図を示す。図２ｂに示すように前記ワイヤレスマウス３は、その中の前記収納空間３２が前記無線信号受信器３１の大きさに合う空間に前記無線信号受信器３１を設置させる以外に、前記収納空間３２の両側に第一凹溝３２１と第二凹溝３２２を有する。また、前記弾性パッド３３は第一弾性半シリンダー３３１と第二弾性半シリンダー３３２を含む。図２ｃが示すように、第一弾性半シリンダー３３１と第二弾性半シリンダー３３２が、第一断面３３１１と第二断面３３１２により、収納空間３２が有する第一凹溝３２１と第二凹溝３２２に当接して固定される。前記弾性パッド３３そのものが変形することにより生じる、本来の形状に戻る回復力により、前記弾性パッド３３が有する前記第一弾性半シリンダー３３１と第二弾性半シリンダー３３２を利用して、収納空間３２と前記第一凹溝３２１と第二凹溝３２２をぴったり固定すると同時に、前記弾性パッド３３が有する前記回復力が、第一弾性半シリンダー３３１と第二弾性半シリンダー３３２が前記収納空間３２に設けられている前記第一凹溝３２１及び前記第二凹溝３２２内でしっかりと結合される。
【００１９】
図２ｄに、前記無線信号受信器３１が前記収納空間３２に収納された概念図を示す。上記の前記弾性パッド３３と前記本体３０に設置された前記収納空間３２が結合した後、図に示すように、前記無線信号受信器３１が前記収納空間３２に収納され、その後前記無線信号受信器３１は前記弾性パッド３３が含む第一弾性半シリンダー３３１と第二弾性半シリンダー３３２に当接して固定される。こうすることにより、前記無線信号受信器３１を前記収納空間３２に収納できた後、前記弾性パッド３３が含む第一弾性半シリンダー３３１と第二弾性半シリンダー３３２が、前記無線信号受信器３１をさらにしっかり固定させ、また簡単には緩んだり脱落したりしなくするため、ひいては本発明の最重要目的を達成することができる。
【００２０】
上記によると、本発明が提案するワイヤレスマウス３の主な特徴は、前記弾性パッド３３と前記本体３０に設置された前記収納空間３２を固定した後、弾性パッド３３が含む前記弾性パッド３３が含む第一弾性半シリンダー３３１と第二弾性半シリンダー３３２により、前記収納空間３２内に置かれた前記無線信号受信器３１と当接して固定し、ひいては固定の効果を高め、このように本発明が強く提起している主な主旨を達成する。この他に、前記無線信号受信器３１上に設置されている前記第一弾性半シリンダー３３１と第二弾性半シリンダー３３２に対応する第一固定攻欠３１１と前記第二固定攻欠３１２を備えることが可能で、前記無線信号受信器３１が前記収納空間３２に収納された後、前記無線信号受信器３１はさらに容易に前記弾性パッド３３と当接して固定され、同様に本発明の目的を達成することができる。
【００２１】
図３ａに従来装置の欠点を改善した無線カーソル制御装置を示す第二の好ましい実施例を示す。本実施例の中の前記無線カーソル制御装置は、ワイヤレスマウス４を例にとって説明する。第一の好ましい実施例との最も大きな違いは、本実施例が述べるワイヤレスマウス４にあり、その本体４０に設置された収納空間４２は、その両側に第一の好ましい実施例で述べた前記第一凹溝４２１及び前期第二凹溝４２２を含む以外に、さらに第三凹溝４２３を含む。従
って、無線信号受信器４１が収納空間４２に置かれた際、第一の好ましい実施例中の前記弾性パッド４３が前記第一弾性半シリンダーと第二弾性半シリンダーを利用して前記無線信号受信器４１に当接して固定されるほか、前記収納空間４２が備える前記第三凹溝４２３は前記無線信号受信器４１の前端がユニバーサルシリアルバスに差し込まれることで、前記無線信号受信器４１が前記収納空間４２にさらにしっかり固定され、またこの無線信号受信器４１が前記収納空間４２に収納された後を、図３ｂに示す。このほか、好ましい実施例において、前記ワイヤレスマウス４には電源のスイッチング４４が増設され、図３ｃに示すように、前記電源スイッチング４４は前記ワイヤレスマウス４の本体４０内に設置され、前記収納空間４２が備える前記第三凹溝４２３と相互につながっている。通常ユーザーはしばらくの間、ワイヤレスマウス４を使用しないとき、この無線信号受信器４１を前記収納空間４２に収納する。そこで、この電源スイッチング４４を増設する主な目的は、ユーザーがワイヤレスマウス４を使用しないために前記無線信号受信器４１を前記収納空間４２に収納する際、前記無線信号受信器４１のユニバーサルシリアルバス（ＵＳＢ）のプラグ４１０を収納空間４２の備える第三凹溝４２３に収納するとき、このユニバーサルシリアルバス（ＵＳＢ）のプラグ４１０は前記電源スイッチング４４に接触し、同時に前記ワイヤレスマウス４そのものの電源をオフにする。このように、ユーザーは前記ワイヤレスマウス４の使用後、電源を切り忘れることがなく、ワイヤレスマウス４の省エネができる。本実施例中において、部分的な技術手段と第一の好ましい実施例は同じであるので、くどくどとは述べない。
【００２２】
図４ａおよび図４ｂに前記無線信号受信器４１が本体４０に設置された収納空間４２の中に設置される設置方式を示す概念図を示す。上記の実施例の説明から、はっきりと分かるように、本発明で述べている前記ワイヤレスマウス４が前記無線信号受信器４１に収納される時、収納空間４２の変形は構造上、第一の好ましい実施例と第二の好ましい実施例の二種類あり、この二種類の収納構造において、ユーザーは図４ａが示す下向きのプッシュ方法により前記無線信号受信器４１を前記収納空間４２に設置することができ、また、図４ｂが示すように、前記収納空間４２の長さが前記無線信号受信器４１の長さよりやや大きく、且つ傾斜面４２５を有するので、前記傾斜面４２５は前記無線信号受信器４１を前記収納空間４２に設置する時に、スライド方式で前記無線信号受信器４１を前記収納空間４２に収納することができる。従って、第一の好ましい実施例と第二の好ましい実施例が提案している収納構造に関わらず、下向きのプッシュ方法或いはスライド方式により、簡単に前記無線信号受信器４１を前記収納空間４２に収納することができる。
【００２３】
以上のことをまとめると、第一の好ましい実施例と第二の好ましい実施例で述べている前記ワイヤレスマウスの主な特徴は、前記ワイヤレスマウス本体に設置されている収納空間と、前記収納空間の両側に固定されている前記弾性パッドの使用により、ひいては前記無線信号受信器を収納及び固定することである。前記弾性パッドは、外部の力により生じる変形による元に戻る力を利用して、前記無線信号受信器を固定するため、ユーザーが前記無線信号受信器を何度も繰り返し出し入れした後も、前記弾性パッドは最適な使用状態を維持することができる。従来技術が提案していた収納ケースと信号受信器の材質の間の干渉力により、信号受信器を収納する収納構造は、長期間の出し入れにより脱落しやすくなっていたが、本発明の技術手段により従来技術に生じていた欠点を確実に解消し、ひいては本発明の主な目的を達成した。
【００２４】
もちろん、本発明は類似した本体と無線信号受信器のパソコン周辺機器に応用することが可能で、例えば無線キーボード或いはコードレスコンパクトコントローラーにも、同様の効果を期待できる。本発明はこの技術を熟知している者によって任意に手を加えることができるが、請求項が保護しているものを逸脱してはならない。
【図面の簡単な説明】
【００２５】
【図１】既存の無線カーソル受信器の収納構造の概略図である。
【図２ａ】既存の装置を改良した本発明の無線カーソル制御装置の第一の好ましい実施例の概略図である。
【図２ｂ】弾性凸溝と、本体に設置された収納空間の結合と、前記弾性凸溝の外部構造の概略図である。
【図２ｃ】弾性凸溝と、本体に設置された収納空間の結合と、前記弾性凸溝の外部構造の概略図である。
【図２ｄ】無線信号受信器が収納空間に収納された概略図である。
【図３ａ】既存の装置の欠点を改善した無前カーソル装置の第二の好ましい実施例の概略図である。
【図３ｂ】第二の好ましい実施例における、無全身号受信器が収納空間に収納された概略図である。
【図３ｃ】電源のスイッチがワイヤレスマウスのケース内に設置された位置概略図である。
【図４ａ】無線信号受信器が本体の収納空間内に設置された開設方式の概略図である。
【図４ｂ】無線信号受信器が本体の収納空間内に設置された開設方式の概略図である。
【符号の説明】
【００２６】
１      ワイヤレスマウス
２      無線信号受信器
３      ワイヤレスマウス
３０    本体
３１    ワイヤレスマウス受信器
３２    収納空間
３３    弾性パッド
３１０  ユニバーサルシリアルバスのプラグ
３１１  第一固定切欠
３１２  第二固定切欠
３２１  第一凹溝
３２２  第二凹溝
３３１  第一弾性半シリンダー
３３２  第二弾性半シリンダー
３３１１  第一断面
３３１２  第二断面
４      ワイヤレスマウス
４０    本体
４１    無線信号受信器
４２    収納空間
４３    弾性パッド
４２１  第一凹溝
４２２  第二凹溝
４２３  第三凹溝
４１０  ユニバーサルシリアルバスのプラグ
４４    電源のスイッチ
４２５  傾斜面
【図１】
2007188470.tif 000003
【図２ａ】
2007188470.tif 000004
【図２ｂ】
2007188470.tif 000005
【図２ｃ】
2007188470.tif 000006
【図２ｄ】
2007188470.tif 000007
【図３ａ】
2007188470.tif 000008
【図３ｂ】
2007188470.tif 000009
【図３ｃ】
2007188470.tif 000010
【図４ａ】
2007188470.tif 000011
【図４ｂ】
2007188470.tif 000012